(57)【特許請求の範囲】
【請求項１】
受けた印刷ジョブに応じて、本体の内部に設けられた印字位置で連続紙に印字を行う印字手段と、
上記印字位置へ上記連続紙を供給するとともに、上記本体の内部に設けられた搬送経路を通して、上記印字手段による印字後の連続紙を上記本体の外部へ排出する搬送手段と、
上記連続紙上の上記印刷ジョブによる最終ページを印字後、上記最終ページを上記本体の外部から見える位置まで搬送して待機させるように前記搬送手段を制御する制御手段と、
上記連続紙を排出する搬送経路にオプション装置が設けられているか否かを検出する検出手段と、
上記検出手段による検出結果に応じて上記連続紙を待機させる位置を可変して設定する待機位置設定手段と、
を備えたことを特徴とする連続紙プリンタ。
【請求項２】
請求項１に記載の連続紙プリンタにおいて、
上記制御手段は、第１の印刷ジョブに続く第２の印刷ジョブを受けたとき、上記連続紙のうち上記第１の印刷ジョブによる最終ページに続く部分が上記印字位置に戻るまで、上記搬送手段によって上記連続紙を排出方向とは逆方向に搬送させる制御を行うことを特徴とする連続紙プリンタ。
【請求項３】
請求項１に記載の連続紙プリンタにおいて、
上記連続紙上の上記印刷ジョブによる最終ページに続く部分を上記印字位置に戻して待機させるモードと、上記最終ページを上記本体の外部から見える位置まで搬送して待機させるモードとを切り替える切替手段を備えたことを特徴とする連続紙プリンタ。
【請求項４】
請求項１に記載の連続紙プリンタにおいて、
設定された待機時間を記憶するための記憶手段を備え、
上記制御手段は、上記最終ページを上記本体の外部から見える位置まで搬送して待機させるモードで、上記連続紙上の上記印刷ジョブによる最終ページを上記待機時間の間だけ待機させた後、上記連続紙のうち上記最終ページに続く部分を上記印字位置に戻して待機させる制御を行うことを特徴とする連続紙プリンタ。
【発明の詳細な説明】
【０００１】
【発明の属する技術分野】
この発明は連続紙プリンタに関し、より詳しくは、所定の幅で一方向に延びる長尺物の連続紙に対して印刷ジョブに応じた印字を行うプリンタに関する。なお、「プリンタ」には、複写機、ファクシミリ装置などが含まれる。
【０００２】
【従来の技術】
この種のプリンタとしては、図７に示すように、本体７０１内の略中央に電子写真プロセスによって用紙に印字を行うための感光体ドラム７１３と転写ユニット７０７を備えたものが知られている。この例では、連続紙１０１を搬送するための搬送手段として、トラクタユニット７１５、サクションユニット７１６、中間ローラ７３１および排紙ユニット７１７が設けられている。
【０００３】
図６に示すように、ジョブ要求を受信するまで待機し（Ｓ３０１）、印刷ジョブを受けたとき、受けた印刷ジョブに応じた処理を開始する（Ｓ３０２）。すなわち、本体７０１の外部Ｐ０から給紙される連続紙１０１を、トラクタユニット７１５によって感光体ドラム７１３と転写ユニット７０７との間の転写位置Ｐ１へ送り込み、この転写位置Ｐ１で連続紙１０１にトナー画像を転写する（Ｓ３０３）。さらに、印字処理が終了すると（Ｓ３０４）、転写位置Ｐ１でトナー画像が転写された連続紙（の部分）をサクションユニット７１６によって吸引して搬送し、転写されたトナー画像を定着ユニット７０９によって定着させる（Ｓ３０５）（この時、トナー画像の後端位置は図７中に示すＰ３の位置である。）。この後、従来は、上記印刷ジョブ（これを第１の印刷ジョブと呼ぶ。）に続く第２の印刷ジョブの準備として、第１の印刷ジョブによる最終ページ１０１ａに続く部分１０１ｂ、即ち、定着された画像の後端が転写位置Ｐ１の直前に戻るまで、上記搬送手段７１５，７１６，７３１，７１７によって連続紙１０１を排出方向とは逆方向に搬送する（Ｓ３０６）。その後（Ｓ３０７）、もとのジョブ要求待機状態（Ｓ３０１）へ戻る。なお、搬送手段７１５，７１６，７３１，７１７の制御はコントローラ７４０（図７参照）によって行われる。
【０００４】
【発明が解決しようとする課題】
ところで、保険／銀行等の通し番号を印字する証書類を扱うユーザや、小売／工場等の通し番号を印字する商品タグ類を扱うユーザは、印刷ジョブが終了したとき、その印刷ジョブの最終ページ１０１ａまで通し番号が適切に（番号が抜けることなく）印字されたことを確認したいという要望を強く持っている。
【０００５】
しかしながら、上述した従来の連続紙プリンタでは、第１の印刷ジョブが終了したとき、連続紙１０１上の第１の印刷ジョブによる最終ページ１０１ａの後端が本体７０１の内部（転写位置Ｐ１近傍）にあるため、第１の印刷ジョブによる最終ページを本体７０１の外部からオペレータが見ることが難しいという問題がある。
【０００６】
ここで、プリンタ本体７０１に設けられた操作パネル（図示せず）を通してコントローラ７４０ヘオペレータが手動で指示を与えることによって、印刷ジョブの最終ページ１０１ａを、本体７０１の外部からオペレータが目視できる位置Ｐ２まで連続紙１０１を搬送することはできる。しかし、印刷ジョブ毎に逐一オペレータが手動で指示を与えるのは、極めて煩わしく、ユーザの利便性を損なうものである。
【０００７】
そこで、本発明の課題は、オペレータが手動による操作を行わなくとも、印刷ジョブによる最終ページを本体の外部から見ることができ、したがって、ユーザの利便性を向上できる連続紙プリンタを提供することにある。
【０００８】
【課題を解決するための手段】
上記課題を解決するために、請求項１に記載の連続紙プリンタは、受けた印刷ジョブに応じて、本体の内部に設けられた印字位置で連続紙に印字を行う印字手段と、上記印字位置へ上記連続紙を供給するとともに、上記本体の内部に設けられた搬送経路を通して、上記印字手段による印字後の連続紙を上記本体の外部へ排出する搬送手段と、上記連続紙上の上記印刷ジョブによる最終ページを印字後、上記最終ページを上記本体の外部から見える位置まで搬送して待機させるように前記搬送手段を制御する制御手段と、上記連続紙を排出する搬送経路にオプション装置が設けられているか否かを検出する検出手段と、上記検出手段による検出結果に応じて上記連続紙を待機させる位置を可変して設定する待機位置設定手段と、を備えたことを特徴とする。
【０００９】
この請求項１の連続紙プリンタでは、搬送手段が、本体の内部に設けられた印字位置へ連続紙を供給する。印字手段は、受けた印刷ジョブに応じて、上記印字位置で連続紙に印字を行う。搬送手段は、本体の内部に設けられた搬送経路を通して、上記印字手段による印字後の連続紙を上記本体の外部へ排出する。ここで制御手段は、上記連続紙上の上記印刷ジョブによる最終ページを印字後、上記最終ページを上記本体の外部から見える位置まで搬送して待機させるように前記搬送手段を制御する。したがって、オペレータは、逆搬送のための手動による操作を行わなくとも、上記連続紙上の上記印刷ジョブによる最終ページを、上記本体の外部から見ることができる。したがって、ユーザの利便性が向上する。
また、この連続紙プリンタでは、検出手段が上記連続紙を排出する搬送経路にオプション装置が設けられているか否かを検出し、上記検出手段による検出結果に応じて、待機位置設定手段が上記連続紙を待機させる位置を可変して設定する。したがって、上記連続紙を排出する搬送経路にオプション装置が設けられているか否かにかかわらず、待機位置を上記搬送経路上の適切な位置、つまり本体の外部から容易に見える位置に自動的に設定できる。したがって、ユーザの利便性がさらに向上する。
【００１０】
請求項２に記載の連続紙プリンタは、請求項１に記載の連続紙プリンタにおいて、上記制御手段は、第１の印刷ジョブに続く第２の印刷ジョブを受けたとき、上記連続紙のうち上記第１の印刷ジョブによる最終ページに続く部分が上記印字位置に戻るまで、上記搬送手段によって上記連続紙を排出方向とは逆方向に搬送させる制御を行うことを特徴とする。
【００１１】
この請求項２の連続紙プリンタでは、上記制御手段は、第１の印刷ジョブに続く第２の印刷ジョブを受けたとき、上記連続紙のうち上記第１の印刷ジョブによる最終ページに続く部分が上記印字位置に戻るまで、上記搬送手段によって上記連続紙を排出方向とは逆方向に搬送させる制御を行う。したがって、第１の印刷ジョブに続く第２の印刷ジョブを受けたとき、上記連続紙のうち上記第１の印刷ジョブによる最終ページに続けて、空白を設けることなく、上記第２の印刷ジョブによる印字を行うことができる。したがって、ユーザの利便性がさらに向上する。
【００１２】
請求項３に記載の連続紙プリンタは、請求項１に記載の連続紙プリンタにおいて、上記連続紙上の上記印刷ジョブによる最終ページに続く部分を上記印字位置に戻して待機させるモードと、上記最終ページを上記本体の外部から見える位置まで搬送して待機させるモードとを切り替える切替手段を備えたことを特徴とする。
【００１３】
この請求項３の連続紙プリンタでは、切替手段が、上記連続紙上の上記印刷ジョブによる最終ページに続く部分を上記印字位置に戻して待機させるモードと、上記最終ページを上記本体の外部から見える位置まで搬送して待機させるモードとを切り替える。したがって、ユーザの好みに応じた制御が可能となり、ユーザの利便性がさらに向上する。
【００１４】
請求項４に記載の連続紙プリンタは、請求項１に記載の連続紙プリンタにおいて、設定された待機時間を記憶するための記憶手段を備え、上記制御手段は、上記最終ページを上記本体の外部から見える位置まで搬送して待機させるモードで、上記連続紙上の上記印刷ジョブによる最終ページを上記待機時間の間だけ待機させた後、上記連続紙のうち上記最終ページに続く部分を上記印字位置に戻して待機させる制御を行うことを特徴とする。
【００１５】
この請求項４の連続紙プリンタでは、設定された待機時間が記憶手段によって記憶される。上記制御手段は、上記最終ページを上記本体の外部から見える位置まで搬送して待機させるモードで、上記連続紙上の上記印刷ジョブによる最終ページを上記待機時間の間だけ待機させた後、上記連続紙のうち上記最終ページに続く部分を上記印字位置に戻して待機させる制御を行う。したがって、オペレータは、上記連続紙上の上記印刷ジョブによる最終ページを、上記本体の外部から上記待機時間の間に見ることができる。しかも、上記待機時間の経過後は、制御手段が上記連続紙のうち上記最終ページに続く部分を上記印字位置に戻して待機させる制御を行うので、上記（第１の）印刷ジョブに続く第２の印刷ジョブを受けたとき、上記連続紙のうち上記第１の印刷ジョブによる最終ページに続く部分に、上記第２の印刷ジョブによる印字を直ちに行うことができる。したがって、ユーザの利便性がさらに向上する。
【００１６】
【発明の実施の形態】
以下、この発明の連続紙プリンタを図示の実施の形態により詳細に説明する。
【００１７】
図１はこの発明を適用した一実施形態の連続紙プリンタの外観を示している。図１（ａ）はプリンタ本体を正面から見たところ、図１（ｂ）は図１（ａ）のものを右側方から見たところ、図１（ｃ）は図１（ｂ）のものを上方から見たところをそれぞれ示している。また、図２は、図１（ｂ）に対応する上記プリンタ本体の概略断面構造を示している。
【００１８】
このプリンタは大別して、後記のコントローラからの画像信号を受信して公知の電子写真プロセスによって用紙に印字を行う本体２０１と、印刷ジョブの全体制御を行うとともに本体２０１へ画像信号を送信するコントローラ２０２とから構成される。
【００１９】
本体２０１は、ケーシング内部の略中央に感光体ドラム２１３を備え、この感光体ドラム２１３の上方に、画像信号に応じたレーザ光を感光体ドラム２１３に露光するためのプリントヘッド２０５を備えている。感光体ドラム２１３の周りには、感光体ドラム２１３を帯電させるための帯電ユニット２０４と、感光体ドラム２１３上に形成された静電潜像にトナーを付着させるための現像ユニット２０６と、感光体ドラム２１３上に形成されたトナー画像を用紙に転写させるための転写ユニット２０７と、用紙への転写後に感光体ドラム２１３上に残留したトナーと電子潜像を除去するためのクリーニング／イレーサユニット２０８とが設けられている。
【００２０】
また、感光体ドラム２１３の直下を通して用紙１０１を搬送するために、搬送ユニット２０３が設けられている。この搬送ユニット２０３には、プリンタ本体へ制動をかけながら用紙を送り込む給紙ブレーキユニット２１４と、給紙された用紙を感光体ドラム２１３直下の転写位置（印字位置）へ送り込むトラクタユニット２１５と、トナー画像が転写された用紙を吸引して搬送するサクションユニット２１６と、用紙上に転写されたトナー画像を定着させるための定着ユニット２０９と、中間ローラ２３１と、コントローラ２０２からの指示に応じて用紙をカットするためのバースタユニット２１１と、ローラ対を有し用紙を下方へ搬送する排紙ユニット２１７とが設けられている。さらに、この排紙ユニット２１７の下方に、用紙を積載するためのスタッカユニット３００がオプション装置として着脱可能に設けられている。このスタッカユニット３００は、スイングガイドユニット２１２と、連続紙１０１を積載すべき積載台としてのスタッカテーブル２１０と、連続紙１０１の先端や折り目が当接される板状の規制部材２１８と、連続紙１０１の端部を押さえるパドルユニット２１９とを含んでいる。スイングガイドユニット２１２は、排紙ユニット２１７によって連続紙１０１が下方へ搬送されるのに同期して、コントローラ２４０（図４参照）からの制御信号に基づき、支点軸２１２Ｃの周りに一定の角度範囲で揺動されるようになっている。これにより、スタッカテーブル２１０上に連続紙１０１が葛（つづら）折りになって積載される。なお、スタッカテーブル２１０は連続紙１０１が積載されるのに伴って、柱状のガイド部材２３０に沿って下方へ移動される。
【００２１】
電子写真プロセスによって印字を行う場合、まず感光体ドラム２１３の表面がクリーニング／イレーサユニット２０８によってクリーニングおよび除電された後、帯電ユニット２０４によって一様に帯電される。この感光体ドラム表面にプリントヘッド２０５からのレーザ光が照射されて、静電潜像が形成される。続いて、現像ユニット２０６によってこの静電潜像にトナーが付着されて、トナー画像が形成される。次に、トラクタユニット２１５によって感光体ドラム２１３の転写位置へ送り込まれた用紙上に、転写ユニット２０７によって上記トナー画像が転写される。続いて、サクションユニット２１６によって感光体ドラム２１３から定着ユニット２０９へ用紙が搬送され、用紙上に転写されたトナー画像が定着ユニット２０９によって定着される。この定着後の用紙は、次に詳細に述べる制御処理の後、最終的には排紙ユニット２１７によって下方のスタッカユニット３００へ送り込まれて、スタッカテーブル２１０上に葛折りになって積載される。
【００２２】
図３は、このプリンタによって印刷ジョブを実行するための制御処理のフローを示している。この制御処理は、図２中に示したコントローラ２０２と図４中に示したコントローラ２４０との協働によって実行される。
【００２３】
ｉ）  図３に示すように、ジョブ要求を受信するまで待機し（Ｓ４０１）、印刷ジョブを受けたとき、受けた印刷ジョブに応じた以下の制御処理を開始する（Ｓ４０２）。すなわち、まず、このプリンタのモードが「通常モード」と「可視モード」とのいずれに設定されているかを判断する（Ｓ４０３）。
【００２４】
なお、切替手段として本体２０１の上部に設けられた操作パネル（図示せず）を通して、または図２中に示したコントローラ２０２を通して、オペレータが予め好みに応じて指示を与えることによって、このプリンタのモードが「通常モード」と「可視モード」とのいずれかに設定されているものとする。
【００２５】
このステップＳ４０３で、プリンタのモードが「通常モード」に設定されていれば、従来の処理（図６参照）と同様の処理を行う（Ｓ４１１）。すなわち、本体２０１の外部Ｐ０から連続紙１０１を給紙して、搬送手段２１５，２１６，２３１，２１７によって連続紙１０１を搬送しながら、上記印刷ジョブが終了するまで転写位置Ｐ１での印字処理と、定着ユニット７０９による定着処理とを行う（この時、トナー画像の後端位置は図７中に示すＰ３の位置である。）。そして、上記印刷ジョブ（これを第１の印刷ジョブと呼ぶ。）に続く第２の印刷ジョブの準備として、第１の印刷ジョブによる最終ページ１０１ａに続く部分１０１ｂ（図６参照）が転写位置Ｐ１の直前に戻るまで、上記搬送手段２１５，２１６，２３１，２１７によって連続紙１０１を排出方向とは逆方向に搬送する。その後（図３のＳ４１０）、もとのジョブ要求待機状態（Ｓ４０１）へ戻る。
【００２６】
ii）  一方、図３中のステップＳ４０３で、プリンタのモードが「可視モード」に設定されていれば、受けた印刷ジョブがその連続紙１０１についての最初の印刷ジョブ（連続紙１０１の先端から印刷するジョブ）であるか否かを判断する（Ｓ４０４）。
【００２７】
ここで、受けた印刷ジョブがその連続紙１０１についての最初の印刷ジョブであれば（Ｓ４０４でＹＥＳ）、本体２０１の外部Ｐ０から連続紙１０１を給紙して、搬送手段２１５，２１６，２３１，２１７によって連続紙１０１を搬送しながら、上記印刷ジョブが終了するまで転写位置Ｐ１での印字処理（Ｓ４０６，Ｓ４０７）と、定着ユニット７０９による定着処理（Ｓ４０８）とを行う。そして、搬送手段２１５，２１６，２３１，２１７を制御して、図４に示すように、連続紙１０１上の上記最初の印刷ジョブによる最終ページ１０１ａを、本体２０１の外部から見える待機位置Ｐ２まで自動的に搬送して停止させる。その後（図３中のＳ４１０）、もとのジョブ要求待機状態（Ｓ４０１）へ戻る。
【００２８】
一方、ステップＳ４０４で、受けた印刷ジョブがその連続紙１０１についての最初の印刷ジョブでなければ（Ｓ４０４でＮＯ）、その印刷ジョブ（これを第２の印刷ジョブと呼ぶ。）を受けた時点で、図４に示すように、直前に実行した印刷ジョブ（これを第１の印刷ジョブと呼ぶ。）による最終ページ１０１ａが待機位置Ｐ２に存在する。そこで、第１の印刷ジョブによる最終ページ１０１ａに続く部分１０１ｂ（図６参照）が転写位置Ｐ１の直前に戻るまで、上記搬送手段２１５，２１６，２３１，２１７によって連続紙１０１を排出方向とは逆方向に搬送する（Ｓ４０５）。続いて、搬送手段２１５，２１６，２３１，２１７によって連続紙１０１を順方向に搬送しながら、上記第２の印刷ジョブが終了するまで転写位置Ｐ１での印字処理と、定着ユニット７０９による定着処理とを行う。そして、搬送手段２１５，２１６，２３１，２１７を制御して、図４に示すように、連続紙１０１上の上記第２の印刷ジョブによる最終ページを、本体２０１の外部から見える待機位置Ｐ２まで自動的に搬送して停止させる。その後（図３中のＳ４１０）、もとのジョブ要求待機状態（Ｓ４０１）へ戻る。
【００２９】
このようにした場合、このプリンタがジョブ要求待機状態にある間、オペレータは、逆搬送のための手動による操作を行わなくとも、直前に実行した印刷ジョブによる最終ページ１０１ａを、本体２０１の外部から見ることができる。したがって、ユーザの利便性が向上する。
【００３０】
また、第１の印刷ジョブに続く第２の印刷ジョブを受けたとき、第１の印刷ジョブによる最終ページ１０１ａに続く部分１０１ｂ（図６参照）が転写位置Ｐ１の直前に戻るまで、連続紙１０１を排出方向とは逆方向に搬送する（Ｓ４０５）ので、上記連続紙１０１のうち上記第１の印刷ジョブによる最終ページ１０１ａに続く部分１０１ｂに、空白を設けることなく、上記第２の印刷ジョブによる印字を行うことができる。したがって、ユーザの利便性がさらに向上する。
【００３１】
また、この実施形態では、連続紙１０１を排出する搬送経路の末尾に、スタッカユニット３００（スイングガイドユニット２１２を含む。）がオプション装置として着脱可能に設けられているが、このスタッカユニット３００が装着された状態と取り外された状態との間では、本体２０１の内部の印字位置Ｐ１から適切な待機位置Ｐ２までの搬送距離が変化する。このような場合、上記スタッカユニット３００が装着されているか否かを検出する検出手段を設けて、その検出結果に応じて待機位置Ｐ２を可変して設定するのが望ましい。そのようにした場合、上記スタッカユニット３００が設けられているか否かにかかわらず、待機位置Ｐ２を上記搬送経路上の適切な位置、つまり本体２０１の外部から容易に見える位置に自動的に設定できる。したがって、ユーザの利便性がさらに向上する。
【００３２】
図５は、このプリンタによって印刷ジョブを実行するための別の制御処理のフローを示している。この制御処理は、既述の制御処理（図３）と同様に、図２中に示したコントローラ２０２と図４中に示したコントローラ２４０との協働によって実行される。
【００３３】
この制御処理は、実行した印刷ジョブによる最終ページ１０１ａを、設定された待機時間の間だけ本体２０１の外部から見える待機位置Ｐ２で待機させる点に特徴を有している。そのような待機時間は、本体２０１の上部に設けられた操作パネル（図示せず）を通して、または図２中に示したコントローラ２０２を通して、オペレータによって予め設定され、ＥＥＰＲＯＭ（電気的消去可能なプログラマブル読み出し専用メモリ）のような記憶手段（図示せず）によって記憶されているものとする。
【００３４】
ｉ）  図５に示すように、ジョブ要求を受信するまで待機し（Ｓ５０１）、印刷ジョブを受けたとき、受けた印刷ジョブに応じた以下の制御処理を開始する（Ｓ５０２）。すなわち、まず、このプリンタのモードが「通常モード」と「可視モード」とのいずれに設定されているかを判断する（Ｓ５０３）。
【００３５】
このステップＳ５０３で、プリンタのモードが「通常モード」に設定されていれば、従来の処理（図６参照）と同様の処理を行う（Ｓ５１１）。すなわち、本体２０１の外部Ｐ０から連続紙１０１を給紙して、搬送手段２１５，２１６，２３１，２１７によって連続紙１０１を搬送しながら、上記印刷ジョブが終了するまで転写位置Ｐ１での印字処理と、定着ユニット７０９による定着処理とを行う（この時、トナー画像の後端位置は図７中に示すＰ３の位置である。）。そして、上記印刷ジョブ（これを第１の印刷ジョブと呼ぶ。）に続く第２の印刷ジョブの準備として、第１の印刷ジョブによる最終ページ１０１ａに続く部分１０１ｂ（図６参照）が転写位置Ｐ１の直前に戻るまで、上記搬送手段２１５，２１６，２３１，２１７によって連続紙１０１を排出方向とは逆方向に搬送する。その後（図５のＳ５１０）、もとのジョブ要求待機状態（Ｓ５０１）へ戻る。
【００３６】
ii）  一方、図５中のステップＳ５０３で、プリンタのモードが「可視モード」に設定されていれば（Ｓ５０３でＮＯ）、本体２０１の外部Ｐ０から連続紙１０１を給紙して、搬送手段２１５，２１６，２３１，２１７によって連続紙１０１を搬送しながら、上記第１の印刷ジョブが終了するまで転写位置Ｐ１での印字処理（Ｓ５０４，Ｓ５０５）と、定着ユニット７０９による定着処理（Ｓ５０６）とを行う。そして、搬送手段２１５，２１６，２３１，２１７を制御して、図４に示すように、連続紙１０１上の上記第１の印刷ジョブによる最終ページ１０１ａを、本体２０１の外部から見える待機位置Ｐ２まで自動的に搬送して停止させる（Ｓ５０７）。
【００３７】
そして、上記第１の印刷ジョブによる最終ページ１０１ａを、設定された待機時間の間だけ待機位置Ｐ２で待機させる。そして、その待機時間が経過したら（Ｓ５０８でＹＥＳ）、第１の印刷ジョブによる最終ページ１０１ａに続く部分１０１ｂ（図６参照）が転写位置Ｐ１の直前に戻るまで、上記搬送手段２１５，２１６，２３１，２１７によって連続紙１０１を排出方向とは逆方向に搬送する（Ｓ５０９）。その後（図５中のＳ５１０）、もとのジョブ要求待機状態（Ｓ５０１）へ戻る。
【００３８】
このようにした場合、オペレータは、連続紙１０１上の上記第１の印刷ジョブによる最終ページ１０１ａを、本体２０１の外部から上記待機時間の間に見ることができる。しかも、上記待機時間の経過後は、第１の印刷ジョブによる最終ページ１０１ａに続く部分１０１ｂを転写位置Ｐ１の直前に戻して待機させるので、上記第１の印刷ジョブに続く第２の印刷ジョブを受けたとき、連続紙１０１のうち上記第１の印刷ジョブによる最終ページ１０１ａに続く部分１０１ｂに、上記第２の印刷ジョブによる印字を直ちに行うことができる。したがって、ユーザの利便性がさらに向上する。
【００３９】
【発明の効果】
以上より明らかなように、この発明の連続紙プリンタによれば、オペレータが手動による操作を行わなくとも、印刷ジョブによる最終ページを本体の外部から見ることができる。したがって、ユーザの利便性を向上できる。
【図面の簡単な説明】
【図１】  この発明を適用した連続紙プリンタの外観を示す図である。
【図２】  上記連続紙プリンタの断面構造を示す図である。
【図３】  上記連続紙プリンタによって印刷ジョブを実行するための制御処理のフローを示す図である。
【図４】  図３のフローによる待機状態を説明する図である。
【図５】  上記連続紙プリンタによって印刷ジョブを実行するための別の制御処理のフローを示す図である。
【図６】  従来の連続紙プリンタによって印刷ジョブを実行するための制御処理のフローを示す図である。
【図７】  図６のフローによる待機状態を説明する図である。
【符号の説明】
Ｐ１  転写位置
Ｐ２  待機位置
１０１  連続紙
２０１  プリンタ本体
２１３  感光体ドラム
【図１】
0003861660.tif 000002
【図２】
0003861660.tif 000003
【図３】
0003861660.tif 000004
【図４】
0003861660.tif 000005
【図５】
0003861660.tif 000006
【図６】
0003861660.tif 000007
【図７】
0003861660.tif 000008